(57)【要約】【課題】複数の表示装置を接続したシステムにおいて、情報のスループットの低下を抑制する。【解決手段】ＨＤＭＩ規格の入力コネクターＣＮ及びＨＤＭＩ規格の出力コネクターＣＴを介して、デイジーチェーン接続された４つのプロジェクター２００Ａ〜プロジェクター２００Ｄに含まれるプロジェクター２００であって、投射部２１０と、出力コネクターＣＴが接続されたか否かを検出する検出部２８１と、出力コネクターＣＴの接続を検出部２８１が検出しない場合には、プロジェクター２００の論理アドレスＬＡを第１論理アドレスＬＡ１に決定し、出力コネクターＣＴの接続を検出部２８１が検出した場合には、プロジェクター２００の論理アドレスＬＡを第２論理アドレスＬＡ２に決定する決定部２８２と、を備える。【選択図】図４
2020088476.tif 000002
【特許請求の範囲】
【請求項１】
ＨＤＭＩ規格の入力コネクター及び前記ＨＤＭＩ規格の出力コネクターを介して、デイジーチェーン接続された複数の表示装置に含まれる表示装置であって、
表示部と、
前記出力コネクターが接続されたか否かを検出する検出部と、
前記表示装置の論理アドレスを決定する決定部と、
を備え、
前記検出部が前記出力コネクターの接続を検出しない場合には、前記決定部は前記表示装置の論理アドレスを第１論理アドレスに決定し、
前記検出部が前記出力コネクターの接続を検出した場合には、前記決定部は前記表示装置の論理アドレスを、前記第１論理アドレスと異なる第２論理アドレスに決定する、表示装置。
【請求項２】
前記検出部が前記出力コネクターの接続を検出しない場合に、前記第１論理アドレスを宛先とするポーリングを送信する送信部と、
前記ポーリングに対する肯定応答を受信したか否かを判定する判定部と、
を備え、
前記肯定応答を受信したと前記判定部が判定した場合には、前記決定部は、前記表示装置の論理アドレスを、前記第２論理アドレスに決定する、
請求項１に記載の表示装置。
【請求項３】
前記複数の表示装置において両端に位置する２つの表示装置のいずれかの表示装置は、画像情報を出力する画像出力装置と前記入力コネクターを介して接続され、
前記表示装置の論理アドレスが前記第１論理アドレスである場合には、前記画像出力装置とＣＥＣコマンドで通信する第１通信制御部を備える、
請求項１又は２に記載の表示装置。
【請求項４】
前記表示装置の論理アドレスが前記第１論理アドレスであり、前記画像出力装置が起動操作を受け付けた場合には、前記第１通信制御部は、前記画像出力装置から起動を指示する前記ＣＥＣコマンドを受信する、
請求項３に記載の表示装置。
【請求項５】
前記表示装置の論理アドレスが前記第１論理アドレスであり、前記表示装置が起動操作を受け付けた場合には、前記第１通信制御部は、前記画像出力装置に対して起動を指示する前記ＣＥＣコマンドを送信する、
請求項３又は請求項４に記載の表示装置。
【請求項６】
前記論理アドレス以外の情報に基づいて宛先を識別する特定コマンドで通信する第２通信制御部を備え、
前記表示装置の論理アドレスが前記第２論理アドレスである場合には、前記第２通信制御部は、前記複数の表示装置のうちの前記第１論理アドレスを有する他の前記表示装置と通信する、
請求項３から５のいずれか１項に記載の表示装置。
【請求項７】
前記表示装置の論理アドレスが前記第２論理アドレスである場合には、前記第２通信制御部は、前記複数の表示装置のうちの論理アドレスが前記第２論理アドレスである他の前記表示装置と前記特定コマンドで通信する、
請求項６に記載の表示装置。
【請求項８】
前記表示装置の論理アドレスが前記第２論理アドレスであり、前記表示装置が起動操作を受け付けた場合には、前記第２通信制御部は、前記複数の表示装置のうちの他の前記表示装置に対して、起動を指示する前記特定コマンドを送信する、
請求項７に記載の表示装置。
【請求項９】
前記表示装置の論理アドレスが前記第１論理アドレスであり、前記表示装置が起動操作を受け付けた場合には、前記第２通信制御部は、前記複数の表示装置のうちの論理アドレスが前記第２論理アドレスである他の前記表示装置に対して、起動を指示する前記特定コマンドを送信する、
請求項７又は８に記載の表示装置。
【請求項１０】
前記表示装置の論理アドレスが前記第１論理アドレスであり、前記第１通信制御部が前記画像出力装置から起動を指示する前記ＣＥＣコマンドを受信した場合に、前記第２通信制御部は、前記複数の表示装置のうちの論理アドレスが前記第２論理アドレスである他の前記表示装置に対して、起動を指示する前記特定コマンドを送信する、
請求項７から９のいずれか１項に記載の表示装置。
【請求項１１】
前記表示装置の論理アドレスが前記第１論理アドレスであり、前記第２通信制御部が起動を指示する前記特定コマンドを受け付けた場合には、前記第１通信制御部は、前記画像出力装置に対して、起動を指示する前記ＣＥＣコマンドを送信する、
請求項７から１０のいずれか１項に記載の表示装置。
【請求項１２】
前記表示装置は、プロジェクターである、
請求項１から１１のいずれか１項に記載の表示装置。
【請求項１３】
ＨＤＭＩ規格の入力コネクター及び前記ＨＤＭＩ規格の出力コネクターを介して、デイジーチェーン接続された複数の表示装置を備える表示システムであって、
前記複数の表示装置の各々は、
表示部と、
前記出力コネクターが接続されたか否かを検出する検出部と、
前記表示装置の論理アドレスを決定する決定部と、
を備え、
前記検出部が前記出力コネクターの接続を検出しない場合には、前記決定部は前記表示装置の論理アドレスを第１論理アドレスに決定し、
前記検出部が前記出力コネクターの接続を検出した場合には、前記決定部は前記表示装置の論理アドレスを、前記第１論理アドレスと異なる第２論理アドレスに決定する、表示システム。
【請求項１４】
ＨＤＭＩ規格の入力コネクター及び前記ＨＤＭＩ規格の出力コネクターを介して、デイジーチェーン接続された複数の表示装置に含まれる表示装置の制御方法であって、
前記出力コネクターが接続されたか否かを検出する検出ステップと、
前記出力コネクターの接続を検出しない場合には、前記表示装置の論理アドレスを第１論理アドレスに決定し、前記出力コネクターの接続を検出した場合には、前記表示装置の論理アドレスを、前記第１論理アドレスと異なる第２論理アドレスに決定する決定ステップと、
を含む、表示装置の制御方法。
【発明の詳細な説明】
【技術分野】
【０００１】
本発明は、表示装置、表示システム、及び表示装置の制御方法に関する。
【背景技術】
【０００２】
従来、複数の表示装置をケーブルで接続し、接続された複数の表示装置により画像を表示する表示システムが知られている（例えば、特許文献１参照）。
特許文献１に記載の表示装置は、ＢＤプレーヤー、ＨＤＤレコーダー、及びプロジェクターの各々と、ＨＤＭＩ規格に基づき接続する。特許文献１記載の構成では、ＨＤＭＩ規格で複数のシンク機器に別々の論理アドレスを割り当てて区別できないことに対応し、シンク機器とソース機器との接続の系を分離する。このため、連携情報によりシンク機器とソース機器との連携を確認し、両者を連携させ、映像・音声データの出力先を決定する連携制御部と、連携制御部が決定した出力先を示す情報に基づきシンク機器とソース機器との接続を確立する切替制御部とを有する。
【先行技術文献】
【特許文献】
【０００３】
【特許文献１】特開２０１１−２３４１２３号公報
【発明の概要】
【発明が解決しようとする課題】
【０００４】
特許文献１に記載の表示システムでは、機器間の連携が複雑化し、情報のスループットが低下する場合があるという課題があった。
【課題を解決するための手段】
【０００５】
上記課題を解決する一態様は、ＨＤＭＩ規格の入力コネクター及び前記ＨＤＭＩ規格の出力コネクターを介して、デイジーチェーン接続された複数の表示装置に含まれる表示装置であって、表示部と、前記出力コネクターが接続されたか否かを検出する検出部と、前記表示装置の論理アドレスを決定する決定部と、を備え、前記検出部が前記出力コネクターの接続を検出しない場合には、前記決定部は前記表示装置の論理アドレスを第１論理アドレスに決定し、前記検出部が前記出力コネクターの接続を検出した場合には、前記決定部は前記表示装置の論理アドレスを、前記第１論理アドレスと異なる第２論理アドレスに決定する表示装置である。
【０００６】
上記表示装置において、前記検出部が前記出力コネクターの接続を検出しない場合に、前記第１論理アドレスを宛先とするポーリングを送信する送信部と、前記ポーリングに対する肯定応答を受信したか否かを判定する判定部と、を備え、前記肯定応答を受信したと前記判定部が判定した場合には、前記決定部は、前記表示装置の論理アドレスを、前記第２論理アドレスに決定する構成であってもよい。
【０００７】
上記表示装置において、前記複数の表示装置において両端に位置する２つの表示装置のいずれかの表示装置は、画像情報を出力する画像出力装置と前記入力コネクターを介して接続され、前記表示装置の論理アドレスが前記第１論理アドレスである場合には、前記画像出力装置とＣＥＣコマンドで通信する第１通信制御部を備える構成であってもよい。
【０００８】
上記表示装置において、前記表示装置の論理アドレスが前記第１論理アドレスであり、前記画像出力装置が起動操作を受け付けた場合には、前記第１通信制御部は、前記画像出力装置から起動を指示する前記ＣＥＣコマンドを受信する構成であってもよい。
【０００９】
上記表示装置において、前記表示装置の論理アドレスが前記第１論理アドレスであり、前記表示装置が起動操作を受け付けた場合には、前記第１通信制御部は、前記画像出力装置に対して起動を指示する前記ＣＥＣコマンドを送信する構成であってもよい。
【００１０】
上記表示装置において、前記論理アドレス以外の情報に基づいて宛先を識別する特定コマンドで通信する第２通信制御部を備え、前記表示装置の論理アドレスが前記第２論理アドレスである場合には、前記第２通信制御部は、前記複数の表示装置のうちの前記第１論理アドレスを有する他の前記表示装置と通信する構成であってもよい。
【００１１】
上記表示装置において、前記表示装置の論理アドレスが前記第２論理アドレスである場合には、前記第２通信制御部は、前記複数の表示装置のうちの論理アドレスが前記第２論理アドレスである他の前記表示装置と前記特定コマンドで通信する構成であってもよい。
【００１２】
上記表示装置において、前記表示装置の論理アドレスが前記第２論理アドレスであり、前記表示装置が起動操作を受け付けた場合には、前記第２通信制御部は、前記複数の表示装置のうちの他の前記表示装置に対して、起動を指示する前記特定コマンドを送信する構成であってもよい。
【００１３】
上記表示装置において、前記表示装置の論理アドレスが前記第１論理アドレスであり、前記表示装置が起動操作を受け付けた場合には、前記第２通信制御部は、前記複数の表示装置のうちの論理アドレスが前記第２論理アドレスである他の前記表示装置に対して、起動を指示する前記特定コマンドを送信する構成であってもよい。
【００１４】
上記表示装置において、前記表示装置の論理アドレスが前記第１論理アドレスであり、前記第１通信制御部が前記画像出力装置から起動を指示する前記ＣＥＣコマンドを受信した場合に、前記第２通信制御部は、前記複数の表示装置のうちの論理アドレスが前記第２論理アドレスである他の前記表示装置に対して、起動を指示する前記特定コマンドを送信する構成であってもよい。
【００１５】
上記表示装置において、前記表示装置の論理アドレスが前記第１論理アドレスであり、前記第２通信制御部が前記起動を指示する前記特定コマンドを受け付けた場合には、前記第１通信制御部は、前記画像出力装置に対して、起動を指示する前記ＣＥＣコマンドを送信する構成であってもよい。
【００１６】
上記表示装置において、前記表示装置は、プロジェクターであってもよい。
【００１７】
上記課題を解決する別の一態様は、ＨＤＭＩ規格の入力コネクター及び前記ＨＤＭＩ規格の出力コネクターを介して、デイジーチェーン接続された複数の表示装置を備える表示システムであって、前記複数の表示装置の各々は、表示部と、前記出力コネクターが接続されたか否かを検出する検出部と、前記表示装置の論理アドレスを決定する決定部と、を備え、前記検出部が前記出力コネクターの接続を検出しない場合には、前記決定部は前記表示装置の論理アドレスを第１論理アドレスに決定し、前記検出部が前記出力コネクターの接続を検出した場合には、前記決定部は前記表示装置の論理アドレスを、前記第１論理アドレスと異なる第２論理アドレスに決定する表示システムである。
【００１８】
上記課題を解決する更に別の一態様は、ＨＤＭＩ規格の入力コネクター及び前記ＨＤＭＩ規格の出力コネクターを介して、デイジーチェーン接続された複数の表示装置に含まれる表示装置の制御方法であって、前記出力コネクターが接続されたか否かを検出する検出ステップと、前記出力コネクターの接続を検出しない場合には、前記表示装置の論理アドレスを第１論理アドレスに決定し、前記出力コネクターの接続を検出した場合には、前記表示装置の論理アドレスを、前記第１論理アドレスと異なる第２論理アドレスに決定する決定ステップと、を含む表示装置の制御方法である。
【図面の簡単な説明】
【００１９】
【図１】表示システムの構成を示す構成図。
【図２】画像出力装置の構成を示す構成図。
【図３】プロジェクターの構成を示す構成図。
【図４】プロジェクターの制御部の構成を示す構成図。
【図５】論理アドレスと装置の種類との関係を示す図。
【図６】プロジェクターの処理を示すフローチャート。
【図７】画像出力装置及びプロジェクターの論理アドレスを示す図。
【図８】表示システムの起動処理を示すシーケンス図。
【図９】表示システムの起動処理を示すシーケンス図。
【図１０】表示システムの起動処理を示すシーケンス図。
【発明を実施するための形態】
【００２０】
以下、図面を参照して本実施形態について説明する。
図１は、表示システム１の構成を示す構成図である。
本実施形態の表示システム１は、画像出力装置１００と、複数のプロジェクター２００とを備える。図１には、複数のプロジェクター２００として、プロジェクター２００Ａ、プロジェクター２００Ｂ、プロジェクター２００Ｃ、及びプロジェクター２００Ｄの４台を示す。表示システム１を構成するプロジェクター２００の台数は４台に限定されるものではない。プロジェクター２００の台数は２台以上であればよい。
プロジェクター２００Ａ〜プロジェクター２００Ｄの各々は、互いに同一の構成を有する。
プロジェクター２００Ａ〜プロジェクター２００Ｄは、「複数の表示装置」の一例に相当する。プロジェクター２００Ａ〜プロジェクター２００Ｄの各々は、「表示装置」の一例に相当する。
以下の説明において、プロジェクター２００Ａ〜プロジェクター２００Ｄを特に区別する必要がない場合は、プロジェクター２００と記載する場合がある。
【００２１】
画像出力装置１００は、プロジェクター２００Ａに接続される。画像出力装置１００は、プロジェクター２００ＡにＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）（登録商標）信号を供給する。ＨＤＭＩ信号には、画像データや音声データが含まれる。画像データは、動画像の画像データであってもよいし、静止画像の画像データであってもよい。また、音声データは、モノラルの音声データであってもよいし、ステレオの音声データであってもよい。また、ステレオよりも多くの音声チャネルを用いるサラウンド方式の音声データであってもよい。
【００２２】
画像出力装置１００には、例えばノート型ＰＣ（Ｐｅｒｓｏｎａｌ  Ｃｏｍｐｕｔｅｒ)、デスクトップ型ＰＣやタブレット端末、スマートフォン、ＰＤＡ（Ｐｅｒｓｏｎａｌ  Ｄｉｇｉｔａｌ  Ａｓｓｉｓｔａｎｔ）等を用いることができる。また、画像出力装置１００として、ビデオ再生装置、ＤＶＤ（Ｄｉｇｉｔａｌ  Ｖｅｒｓａｔｉｌｅ  Ｄｉｓｋ）プレーヤー、ブルーレイディスクプレーヤー、ハードディスクレコーダー、テレビチューナー装置、ＣＡＴＶ（Ｃａｂｌｅ  ｔｅｌｅｖｉｓｉｏｎ）のセットトップボックス、ビデオゲーム機等を用いてもよい。
【００２３】
図２は、画像出力装置１００の構成を示す構成図である。
画像出力装置１００は、制御部１１０、再生部１２０、記録媒体１３０、及びＨＤＭＩ（登録商標）通信部１４０を備える。
制御部１１０は、画像出力装置１００を制御する。記録媒体１３０は、ＤＶＤやＢｌｕ−ｒａｙ（登録商標）ディスク等で構成され、コンテンツの画像データや音声データ等を記憶する。再生部１２０は、制御部１１０の制御に従って、記録媒体１３０に記録されたコンテンツを再生する。また、再生部１２０は、再生したコンテンツの画像データや音声データをＨＤＭＩ通信部１４０に出力する。
ＨＤＭＩ通信部１４０は、再生部１２０から入力される画像データ及び音声データを、制御部１１０の制御に従って、所定の伝送フォーマットのＨＤＭＩ信号に変換する。ＨＤＭＩ通信部１４０は、制御部１１０の制御に従って、ＨＤＭＩ信号をＨＤＭＩケーブル２１に出力する。
なお、再生部１２０は、フラッシュメモリー等の半導体記憶装置やＨＤＤ（Ｈａｒｄ  Ｄｉｓｋ  Ｄｒｉｖｅ）等の磁気記憶装置、光磁気記憶装置に記憶されたコンテンツを再生してもよい。また、ネットワーク上のサーバー装置からダウンロードされたコンテンツを再生部１２０で再生する構成であってもよい。
【００２４】
図１に示すように、画像出力装置１００とプロジェクター２００Ａとは、ＨＤＭＩケーブル２１によって接続される。ＨＤＭＩケーブル２１の両端には、出力コネクター２１１と入力コネクター２１２とが配置される。
ＨＤＭＩケーブル２１の一方の端部は、出力コネクター２１１を介して、画像出力装置１００のＨＤＭＩ通信部１４０に接続される。ＨＤＭＩケーブル２１の他方の端部は、入力コネクター２１２を介して、プロジェクター２００ＡのＨＤＭＩ通信部２５０Ａに接続される。
【００２５】
プロジェクター２００Ａ〜プロジェクター２００Ｄは、ＨＤＭＩケーブル２２、ＨＤＭＩケーブル２３、及びＨＤＭＩケーブル２４によりデイジーチェーン接続される。換言すれば、プロジェクター２００Ａ〜プロジェクター２００Ｄは、ＨＤＭＩケーブル２２、２３、２４により直列に接続される。
具体的には、プロジェクター２００Ａ、２００Ｂ、２００Ｃ及び２００Ｄは、以下のように接続される。
すなわち、プロジェクター２００Ａとプロジェクター２００Ｂとは、ＨＤＭＩケーブル２２によって接続される。ＨＤＭＩケーブル２２の両端には、出力コネクター２２１と入力コネクター２２２とが配置される。プロジェクター２００Ｂとプロジェクター２００Ｃとは、ＨＤＭＩケーブル２３によって接続される。ＨＤＭＩケーブル２３の両端には、出力コネクター２３１と入力コネクター２３２とが配置される。プロジェクター２００Ｃとプロジェクター２００Ｄとは、ＨＤＭＩケーブル２４によって接続される。ＨＤＭＩケーブル２４の両端には、出力コネクター２４１と入力コネクター２４２とが配置される。
【００２６】
プロジェクター２００Ａは、ＨＤＭＩ通信部２５０Ａを備える。ＨＤＭＩ通信部２５０Ａは、ＨＤＭＩ受信部２５２Ａ及びＨＤＭＩ送信部２５６Ａを備える。図１では、ＨＤＭＩ受信部を「Ｒｘ」と記載し、ＨＤＭＩ送信部を「Ｔｘ」と記載する。
ＨＤＭＩ受信部２５２Ａは、入力コネクター２１２を介して、ＨＤＭＩケーブル２１により画像出力装置１００に接続される。ＨＤＭＩ送信部２５６Ａは、出力コネクター２２１を介して、ＨＤＭＩケーブル２２によりプロジェクター２００Ｂに接続される。
【００２７】
プロジェクター２００ＡのＨＤＭＩ受信部２５２Ａは、画像出力装置１００から送信されるＨＤＭＩ信号を受信する。プロジェクター２００Ａは、受信したＨＤＭＩ信号を取り込んで画像処理、音声処理等の処理を実行する。また、プロジェクター２００ＡのＨＤＭＩ送信部２５６Ａは、ＨＤＭＩ信号をプロジェクター２００Ｂに送信する。
【００２８】
プロジェクター２００Ｂは、ＨＤＭＩ通信部２５０Ｂを備える。ＨＤＭＩ通信部２５０Ｂは、ＨＤＭＩ受信部２５２Ｂと、ＨＤＭＩ送信部２５６Ｂとを備える。ＨＤＭＩ受信部２５２Ｂは、入力コネクター２２２を介して、ＨＤＭＩケーブル２２によりプロジェクター２００Ａに接続される。ＨＤＭＩ送信部２５６Ｂは、出力コネクター２３１を介して、ＨＤＭＩケーブル２３によりプロジェクター２００Ｃに接続される。
プロジェクター２００ＢのＨＤＭＩ受信部２５２Ｂは、プロジェクター２００Ａから送信されるＨＤＭＩ信号を受信する。プロジェクター２００Ｂは、受信したＨＤＭＩ信号を取り込んで画像処理、音声処理等の処理を実行する。また、プロジェクター２００ＢのＨＤＭＩ送信部２５６Ｂは、ＨＤＭＩ信号をプロジェクター２００Ｃに送信する。
【００２９】
プロジェクター２００Ｃは、ＨＤＭＩ通信部２５０Ｃを備える。ＨＤＭＩ通信部２５０Ｃは、ＨＤＭＩ受信部２５２Ｃと、ＨＤＭＩ送信部２５６Ｃとを備える。ＨＤＭＩ受信部２５２Ｃは、入力コネクター２３２を介して、ＨＤＭＩケーブル２３によりプロジェクター２００Ｂに接続される。ＨＤＭＩ送信部２５６Ｃは、出力コネクター２４１を介して、ＨＤＭＩケーブル２４によりプロジェクター２００Ｄに接続される。
プロジェクター２００ＣのＨＤＭＩ受信部２５２Ｃは、プロジェクター２００Ｂから送信されるＨＤＭＩ信号を受信する。プロジェクター２００Ｃは、受信したＨＤＭＩ信号を取り込んで画像処理、音声処理等の処理を実行する。また、プロジェクター２００ＣのＨＤＭＩ送信部２５６Ｃは、ＨＤＭＩ信号をプロジェクター２００Ｄに送信する。
【００３０】
プロジェクター２００Ｄは、ＨＤＭＩ通信部２５０Ｄを備える。ＨＤＭＩ通信部２５０Ｄは、ＨＤＭＩ受信部２５２Ｄと、ＨＤＭＩ送信部２５６Ｄとを備える。ＨＤＭＩ受信部２５２Ｄは、入力コネクター２４２を介して、ＨＤＭＩケーブル２４によりプロジェクター２００Ｃに接続される。
プロジェクター２００ＤのＨＤＭＩ受信部２５２Ｄは、プロジェクター２００Ｃから送信されるＨＤＭＩ信号を受信する。プロジェクター２００Ｄは、受信したＨＤＭＩ信号を取り込んで画像処理、音声処理等の処理を実行する。
【００３１】
本実施形態では、入力コネクター２１２、入力コネクター２２２、入力コネクター２３２及び入力コネクター２４２の各々を入力コネクターＣＮと記載する場合がある。また、出力コネクター２１１、出力コネクター２２１、出力コネクター２３１及び出力コネクター２４１の各々を出力コネクターＣＴと記載する場合がある。
【００３２】
ＨＤＭＩケーブル２１、２２、２３、及び２４の各々は、画像データや音声データ、制御情報の伝送用のデータ線を有する。このデータ線は、ＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）チャネル＃０，＃１，＃２の３つのデータ線である。これらのデータ線は、差動信号であるＨＤＭＩ信号を一方向にシリアルに伝送するデータ線である。また、ＨＤＭＩケーブル２１、２２、２３、及び２４の各々は、この他に、ＣＥＣ（Ｃｏｎｓｕｍｅｒ  Ｅｌｅｃｔｒｏｎｉｃｓ  Ｃｏｎｔｒｏｌ）線やＤＤＣ（Ｄｉｓｐｌａｙ  Ｄａｔａ  Ｃｈａｎｎｅｌ）線を有する。ＣＥＣ線は、ＨＤＭＩケーブルに接続した機器間で、制御用のデータを双方向に通信する信号線である。ＤＤＣ線は、Ｅ−ＥＤＩＤ（Ｅｎｈａｎｃｅｄ  Ｅｘｔｅｎｄｅｄ  Ｄｉｓｐｌａｙ  Ｉｄｅｎｔｉｆｉｃａｔｉｏｎ  Ｄａｔａ）の読み出しに使用される２本の信号線である。Ｅ−ＥＤＩＤは、ＨＤＭＩ信号の供給を受ける側の装置であるシンク機器を特定するデバイス情報である。
【００３３】
図１には、プロジェクター２００Ａ〜プロジェクター２００Ｄが横方向に一列で配置され、各プロジェクター２００がスクリーンＳＣに画像を横並びで投射する場合を示す。プロジェクター２００Ａは、画像をスクリーンＳＣの投射領域１０Ａに投射し、プロジェクター２００Ｂは、画像をスクリーンＳＣの投射領域１０Ｂに投射する。また、プロジェクター２００Ｃは、画像をスクリーンＳＣの投射領域１０Ｃに投射し、プロジェクター２００Ｄは、画像をスクリーンＳＣの投射領域１０Ｄに投射する。
【００３４】
表示システム１は、プロジェクター２００Ａ〜プロジェクター２００Ｄが投射する画像をスクリーンＳＣにおいて結合させ、一つの大画面の画像をスクリーンＳＣに投射するタイリング投射を行う。すなわち、タイリング投射では、隣接するプロジェクター２００は、投射部２１０により投射する画像がスクリーンＳＣにおいて結合するように配置される。
【００３５】
また、タイリング投射では、プロジェクター２００は、投射する画像の縁が隣接するプロジェクター２００が投射する画像の縁と互いに重なり合うように画像を投射する。これは、投射される画像の境界が目立たないようにするためである。例えば、プロジェクター２００Ａが投射する画像と、その右側に位置するプロジェクター２００Ｂが投射する画像とは、互いの縁が重なって重畳領域１１を形成する。同様に、プロジェクター２００Ｂが投射する画像と、その右側に位置するプロジェクター２００Ｃが投射する画像とは、互いの縁が重なって重畳領域１２を形成する。同様に、プロジェクター２００Ｃが投射する画像と、その右側に位置するプロジェクター２００Ｄが投射する画像とは、互いの縁が重なって重畳領域１３を形成する。
【００３６】
また、本実施形態は、プロジェクター２００Ａ〜２００Ｄが画像を投射する投射対象がスクリーンＳＣである場合を例にして説明するが、投射対象は、スクリーンＳＣに限定されない。投射対象は、一様な平面であってもよいし、曲面、不連続面あるいは凹凸を有する面などであってもよい。具体的には、建物の壁面や物体の表面を投射対象とすることができる。
また、プロジェクター２００Ａ〜２００Ｄの設置方法は、平置きに限定されるものではなく、プロジェクター２００Ａ〜２００Ｄを天井から吊り下げる天吊り設置や、壁面に掛ける壁掛け設置とすることも可能である。
また、図１には、プロジェクター２００Ａ〜２００Ｄを横一列に並べて配置した場合を示すが、プロジェクター２００Ａ〜２００Ｄを縦一列に並べて配置してもよい。また、プロジェクター２００Ａ〜２００Ｄを２行２列に並べて配置してもよい。
【００３７】
図３は、プロジェクター２００Ａの構成を示す構成図である。プロジェクター２００Ａ〜２００Ｄの各々の構成は同一であるため、以下では、プロジェクター２００Ａの構成について説明し、プロジェクター２００Ｂ〜２００Ｄの各々については、その説明を省略する。
また、以下の説明では、各プロジェクター２００の構成要素を区別するため、プロジェクター２００Ａの構成要素には「Ａ」の符号を付し、プロジェクター２００Ｂの構成要素には「Ｂ」の符号を付す。同様に、プロジェクター２００Ｃの構成要素には「Ｃ」の符号を付し、プロジェクター２００Ｄの構成要素には「Ｄ」の符号を付して説明する。
例えば、プロジェクター２００Ａの制御部を制御部２８０Ａと記載し、プロジェクター２００Ｂの制御部を制御部２８０Ｂと記載する。同様に、プロジェクター２００Ｃの制御部を制御部２８０Ｃと記載し、プロジェクター２００Ｄの制御部を制御部２８０Ｄと記載する。
【００３８】
プロジェクター２００ＡのＨＤＭＩ通信部２５０Ａは、ＨＤＭＩ受信部２５２Ａと、ＨＤＭＩ送信部２５６Ａとを備える。
ＨＤＭＩ受信部２５２Ａは、ＨＤＭＩケーブル２１の入力コネクター２１２に接続する接続端子と、受信したＨＤＭＩ信号を処理して、画像データや音声データ、制御情報に変換するインターフェイス回路とを備える。
また、ＨＤＭＩ送信部２５６Ａは、ＨＤＭＩケーブル２２の出力コネクター２２１に接続する接続端子と、画像データや音声データ、制御情報をＨＤＭＩ信号に変換するインターフェイス回路とを備える。
【００３９】
プロジェクター２００Ａは、光学的な画像の形成を行い、スクリーンＳＣに画像を投射する投射部２１０Ａを備える。投射部２１０Ａは、光源部２１１Ａ、光変調装置２１２Ａ及び投射光学系２１３Ａを備える。投射部２１０Ａは、「表示部」の一例に相当する。
光源部２１１Ａは、キセノンランプや、超高圧水銀ランプ、ＬＥＤ（Ｌｉｇｈｔ  Ｅｍｉｔｔｉｎｇ  Ｄｉｏｄｅ）、レーザー光源等からなる光源を備える。また、光源部２１１Ａは、光源が発した光を光変調装置２１２Ａに導くリフレクター及び補助リフレクターを備えてもよい。更に、光源部２１１Ａは、投射光の光学特性を高めるためのレンズ群、偏光板、又は光源が発した光の光量を光変調装置２１２Ａに至る経路上で低減させる調光素子等を備えてもよい。
【００４０】
光源部２１１Ａは、光源駆動部２２１Ａにより駆動される。光源駆動部２２１Ａは、内部バス２９０Ａに接続され、同じく内部バス２９０Ａに接続された制御部２８０Ａの制御に従って、光源部２１１Ａの光源を点灯及び消灯させる。
【００４１】
光変調装置２１２Ａは、例えば、Ｒ、Ｇ及びＢの三原色に対応した３枚の液晶パネル２１５Ａを備える。Ｒは赤色を示し、Ｇは緑色を示し、Ｂは青色を示す。すなわち、光変調装置２１２Ａは、Ｒ色光に対応した液晶パネル２１５Ａと、Ｇ色光に対応した液晶パネル２１５Ａと、Ｂ色光に対応した液晶パネル２１５Ａとを備える。
光源部２１１Ａが発する光はＲＧＢの３色の色光に分離され、それぞれ対応する液晶パネル２１５Ａに入射される。３枚の液晶パネル２１５Ａの各々は、透過型の液晶パネルであり、透過する光を変調して画像光を生成する。各液晶パネル２１５Ａを通過して変調された画像光は、クロスダイクロイックプリズム等の合成光学系によって合成され、投射光学系２１３Ａに射出される。
【００４２】
光変調装置２１２Ａは、光変調装置駆動部２２２Ａにより駆動される。光変調装置駆動部２２２Ａは、内部バス２９０Ａに接続される。
光変調装置駆動部２２２Ａには、画像処理部２６０ＡからＲ，Ｇ，Ｂの各原色に対応する画像データが入力される。光変調装置駆動部２２２Ａは、入力された画像データを液晶パネル２１５Ａの動作に適したデータ信号に変換する。光変調装置駆動部２２２Ａは、変換したデータ信号に基づいて、各液晶パネル２１５Ａの各画素に電圧を印加し、各液晶パネル２１５Ａに画像を描画する。
【００４３】
投射光学系２１３Ａは、光変調装置２１２Ａにより変調された画像光をスクリーンＳＣに投射して、スクリーンＳＣ上に結像させるレンズ群を備える。また、投射光学系２１３Ａは、スクリーンＳＣに投射される画像を拡大又は縮小させるズーム機構や、フォーカスの調整を行うフォーカス調整機構を備えてもよい。
【００４４】
プロジェクター２００Ａは、操作パネル２３１Ａ、リモコン受光部２３５Ａ及び入力処理部２３３Ａを備える。操作パネル２３１Ａ及びリモコン受光部２３５Ａは、内部バス２９０Ａに接続された入力処理部２３３Ａに接続される。
操作パネル２３１Ａには、プロジェクター２００Ａを操作するための各種操作キーが設けられる。操作パネル２３１Ａには、例えば、プロジェクター２００Ａの電源オン又は電源オフを指示するための電源キー、各種設定を行うためのメニューキー等が設けられる。入力処理部２３３Ａは、操作キーが操作されると、操作されたキーに対応した操作信号を制御部２８０Ａに出力する。
【００４５】
また、プロジェクター２００Ａは、ユーザーが使用するリモコン５を有する。リモコン５は各種のボタンを備えており、これらのボタンの操作に対応して赤外線信号を送信する。
リモコン受光部２３５Ａは、リモコン５から送信される赤外線信号を受信する。入力処理部２３３Ａは、リモコン受光部２３５Ａが受信した赤外線信号をデコードして、リモコン５における操作内容を示す操作信号を生成し、制御部２８０Ａに出力する。
【００４６】
プロジェクター２００Ａは、音声処理部２４０Ａ及びスピーカー２４３Ａを備える。
音声処理部２４０Ａは、音声データに復号化、Ｄ／Ａ変換、増幅等の信号処理を施し、アナログの音声信号に変換してスピーカー２４３Ａに出力する。
【００４７】
プロジェクター２００Ａは、無線通信部２４７Ａを備える。無線通信部２４７Ａは、内部バス２９０Ａに接続され、制御部２８０Ａの制御に従って動作する。
無線通信部２４７Ａは、図示しないアンテナやＲＦ（Ｒａｄｉｏ  Ｆｒｅｑｕｅｎｃｙ）回路等を備え、制御部２８０Ａの制御の下、外部の装置との間で無線通信を実行する。無線通信部２４７Ａの無線通信方式には、例えば無線ＬＡＮ（Ｌｏｃａｌ  Ａｒｅａ  Ｎｅｔｗｏｒｋ）、Ｂｌｕｅｔｏｏｔｈ（登録商標）、ＵＷＢ（Ｕｌｔｒａ  Ｗｉｄｅ  Ｂａｎｄ）、赤外線通信等の近距離無線通信方式を採用できる。また、無線通信部２４７Ａの無線通信方式として携帯電話回線を利用した無線通信方式を採用できる。
【００４８】
プロジェクター２００Ａは、画像処理系を備える。この画像処理系は、プロジェクター２００Ａの全体を統合的に制御する制御部２８０Ａを中心に構成され、この他に、画像処理部２６０Ａ、フレームメモリー２６５Ａ及び記憶部２７０Ａを備える。制御部２８０Ａ、画像処理部２６０Ａ及び記憶部２７０Ａは、内部バス２９０Ａにより相互にデータ通信可能に接続される。
【００４９】
画像処理部２６０Ａは、画像出力装置１００から受信した画像データをフレームメモリー２６５Ａに展開して処理する。画像処理部２６０Ａが行う処理には、例えば、解像度変換処理又はリサイズ処理、歪み補正等の形状補正処理、デジタルズーム処理、色調補正処理、輝度補正処理等が含まれる。画像処理部２６０Ａは、制御部２８０Ａにより指定された処理を実行し、必要に応じて、制御部２８０Ａから入力されるパラメーターを使用して処理を行う。また、画像処理部２６０Ａは、上記のうち複数の処理を組み合わせて実行することも勿論可能である。画像処理部２６０Ａは、処理が終了した画像データをフレームメモリー２６５Ａから読み出し、光変調装置駆動部２２２Ａに出力する。
【００５０】
記憶部２７０Ａは、例えば、ハードディスク装置等の補助記憶装置である。記憶部２７０Ａは、ＤＲＡＭ（Ｄｙｎａｍｉｃ  ＲＡＭ）、大容量の情報の記憶が可能なフラッシュメモリー又はＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）、ＢＤ（Ｂｌｕ−ｒａｙ  Ｄｉｓｃ）等の光ディスクで代替されてもよい。記憶部２７０Ａは、制御部２８０Ａが実行する制御プログラムや各種データを記憶する。
また、記憶部２７０Ａは、プロジェクター２００Ａ〜プロジェクター２００Ｄの各々の識別情報を記憶する。記憶部２７０Ｂ、２７０Ｃ、２７０Ｄについても同様である。各プロジェクター２００の識別情報は、ユーザーが操作パネル２３１Ａを操作して入力してもよいし、ＤＤＣ線を介してＥ−ＥＤＩＤから読み出した各プロジェクター２００のデバイス情報を使用してもよい。
【００５１】
制御部２８０Ａは、プロジェクター２００の各部を制御する。制御部２８０Ａは、ハードウェアとしてＣＰＵ（Ｃｅｎｔｒａｌ  Ｐｒｏｃｅｓｓｉｎｇ  Ｕｎｉｔ）のようなプロセッサー、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、その他の周辺回路等を備える。
ＲＯＭは、フラッシュＲＯＭ等の不揮発性の記憶装置であり、制御プログラム及びデータを記憶する。ＲＡＭは、ＣＰＵが演算処理を行う際のワークエリアとして使用される。プロセッサーは、ＲＯＭや記憶部２７０Ａから読み出した制御プログラムをＲＡＭに展開し、展開した制御プログラムを実行してプロジェクター２００Ａの各部を制御する。制御部２８０Ａの構成ついては、後述にて図４を参照して詳細に説明する。
【００５２】
図４は、プロジェクター２００Ａの制御部２８０Ａの構成を示す構成図である。制御部２８０Ａ〜制御部２８０Ｄの各々の構成は同一であるため、制御部２８０Ａの構成について説明し、制御部２８０Ｂ〜制御部２８０Ｄについては、その説明を省略する。
制御部２８０Ａは、検出部２８１Ａ、決定部２８２Ａ、送信部２８３Ａ、判定部２８４Ａ、第１通信制御部２８５Ａ、及び第２通信制御部２８６Ａを備える。
具体的には、制御部２８０Ａのプロセッサーは、ＲＯＭや記憶部２７０Ａから読み出した制御プログラムを実行することによって、検出部２８１Ａ、決定部２８２Ａ、送信部２８３Ａ、判定部２８４Ａ、第１通信制御部２８５Ａ、及び第２通信制御部２８６Ａとして機能する。
なお、第１通信制御部２８５Ａ及び第２通信制御部２８６Ａについては、プロジェクター２００Ａの制御部２８０Ａに限定せずに説明する必要があるため、第１通信制御部２８５及び第２通信制御部２８６の各々について説明する。
また、第１通信制御部２８５は、第１通信制御部２８５Ａ〜第１通信制御部２８５Ｄの各々を示し、第２通信制御部２８６は、第２通信制御部２８６Ａ〜第２通信制御部２８６Ｄの各々を示す。
【００５３】
検出部２８１Ａは、出力コネクターＣＴが接続されたか否かを検出する。
具体的には、検出部２８１Ａは、ＨＤＭＩケーブル２２の出力コネクター２２１がＨＤＭＩ送信部２５６Ａに接続されたか否かを検出する。
ＨＤＭＩケーブル２２の出力コネクター２２１がＨＤＭＩ送信部２５６Ａに接続された場合には、ＨＤＭＩケーブル２２を介して、プロジェクター２００Ａとプロジェクター２００Ｂとが接続される。
【００５４】
決定部２８２Ａは、出力コネクターＣＴが接続されたことを検出部２８１Ａが検出していない場合には、プロジェクター２００Ａの論理アドレスＬＡを第１論理アドレスＬＡ１に決定する。
第１論理アドレスＬＡ１は、プロジェクター２００Ａ〜プロジェクター２００Ｄにおいて、最も下流側に配置されたプロジェクター２００を示す。「最も下流側」とは、画像出力装置１００から最も離間する側を示す。本実施形態では、プロジェクター２００Ｄの論理アドレスＬＡが第１論理アドレスＬＡ１に決定される。
また、決定部２８２Ａは、出力コネクターＣＴが接続されたことを検出部２８１Ａが検出した場合には、プロジェクター２００Ａの論理アドレスＬＡを第２論理アドレスＬＡ２に決定する。
第２論理アドレスＬＡ２は、プロジェクター２００Ａ〜プロジェクター２００Ｄにおいて、最も下流側ではないプロジェクター２００を示す。本実施形態では、プロジェクター２００Ａ〜プロジェクター２００Ｃの各々の論理アドレスＬＡが第２論理アドレスＬＡ２に決定される。
論理アドレスＬＡ、第１論理アドレスＬＡ１、及び第２論理アドレスＬＡ２については、後述にて図５を参照して詳細に説明する。
【００５５】
送信部２８３Ａは、出力コネクター２２１が接続されたことを検出部２８１Ａが検出していない場合に、第１論理アドレスＬＡ１を宛先とするポーリングを送信する。
具体的には、送信部２８３Ａは、出力コネクター２２１が接続されたことを検出部２８１Ａが検出していない場合に、ＨＤＭＩ受信部２５２Ａ及びＨＤＭＩ送信部２５６Ａを介して、プロジェクター２００Ａに接続された機器に対して第１論理アドレスＬＡ１を宛先とするポーリングを送信する。本実施形態では、プロジェクター２００Ａに接続された機器は、画像出力装置１００とプロジェクター２００Ｂとである。
【００５６】
判定部２８４Ａは、ポーリングに対する肯定応答を受信したか否かを判定する。
具体的には、判定部２８４Ａは、ＨＤＭＩ受信部２５２Ａ及びＨＤＭＩ送信部２５６Ａを介して、ポーリングに対する肯定応答を受信したか否かを判定する。
なお、ポーリングに対する肯定応答を受信したことは、論理アドレスＬＡが第１論理アドレスＬＡ１であるプロジェクター２００が接続されていることを意味する。
肯定応答を受信したと判定部２８４Ａが判定した場合には、決定部２８２Ａは、プロジェクター２００Ａの論理アドレスＬＡを、第２論理アドレスＬＡ２に決定する。
すなわち、プロジェクター２００Ａ〜プロジェクター２００Ｄのうち、論理アドレスＬＡが第１論理アドレスＬＡ１であるプロジェクター２００は１台に限定される。
【００５７】
プロジェクター２００の論理アドレスＬＡが第１論理アドレスＬＡ１である場合には、第１通信制御部２８５は、ＨＤＭＩ受信部２５２を介して、画像出力装置１００とＣＥＣコマンドＣＭ１で通信する。
具体的には、第１論理アドレスＬＡ１を有するプロジェクター２００Ｄにおいて、第１通信制御部２８５Ｄは、ＨＤＭＩ受信部２５２Ｄを介して、画像出力装置１００とＣＥＣコマンドＣＭ１で通信する。
【００５８】
プロジェクター２００の論理アドレスＬＡが第２論理アドレスＬＡ２である場合には、第２通信制御部２８６は、第１論理アドレスＬＡ１を有するプロジェクター２００と、論理アドレスＬＡ以外の情報に基づいて宛先を識別する特定コマンドＣＭ２で通信する。
なお、特定コマンドは、本実施形態では、宛先を示す識別情報を有するベンダーコマンドである。すなわち、「論理アドレスＬＡ以外の情報」は、例えば「識別情報」である。また、プロジェクター２００Ａ〜プロジェクター２００Ｄの各々の識別情報は、記憶部２７０に記憶される。「ベンダーコマンド」は、ベンダーが定義することが可能なコマンドである。
具体的には、第２論理アドレスＬＡ２を有するプロジェクター２００Ａ〜プロジェクター２００Ｃにおいて、第２通信制御部２８６Ａ〜第２通信制御部２８６Ｃの各々は、第１論理アドレスＬＡ１を有するプロジェクター２００Ｄと、特定コマンドＣＭ２で通信する。
また、プロジェクター２００の論理アドレスＬＡが第１論理アドレスＬＡ１である場合には、第２通信制御部２８６は、プロジェクター２００Ａ〜２００Ｄのうちの論理アドレスが第２論理アドレスＬＡ２である他のプロジェクター２００と特定コマンドＣＭ２で通信する。他のプロジェクター２００は、例えば、プロジェクター２００Ｂ及びプロジェクター２００Ｃである。
具体的には、第１論理アドレスＬＡ１を有するプロジェクター２００Ｄの第２通信制御部２８６Ｄは、第２論理アドレスＬＡ２を有するプロジェクター２００Ａ〜プロジェクター２００Ｃの各々と、特定コマンドＣＭ２で通信する。
第１通信制御部２８５及び第２通信制御部２８６の各々の構成については、後述にて図８〜図１０を参照して詳細に説明する。
【００５９】
図５は、ＣＥＣ規格で定められた論理アドレスＬＡと装置の種類ＤＮとの関係を示す図である。
図５に示すように、装置の種類ＤＮが「ＴＶ」の装置は、論理アドレスＬＡとして「０」が割り当てられる。装置の種類ＤＮが「ＴＶ」の装置は、画像を表示する装置であって、プロジェクター２００を含む。また、装置の種類ＤＮが「ＴＶ」の装置は、ＣＥＣ通信を行うネットワークにおいて、１台であると規定される。
本実施形態では、プロジェクター２００を４台含むため、後述にて図６及び図７を参照して説明するように、プロジェクター２００に対して、以下のように論理アドレスＬＡが割り当てられる。すなわち、プロジェクター２００Ｄに論理アドレスＬＡとして「０」が割り当てられ、プロジェクター２００Ａ〜プロジェクター２００Ｃに論理アドレスＬＡとして「１５」が割り当てられる。論理アドレスＬＡが「１５」は、装置の種類ＤＮを特定しない装置を示す。
第１論理アドレスＬＡ１は、論理アドレスＬＡが「０」であることに対応し、第２論理アドレスＬＡ２は、論理アドレスＬＡが「１５」であることに対応する。
【００６０】
また、装置の種類ＤＮが「Ｐｌａｙｂａｃｋ  Ｄｅｖｉｃｅ」の装置は、論理アドレスＬＡとして「４」、「８」、又は「１１」が割り当てられる。装置の種類ＤＮが「Ｐｌａｙｂａｃｋ  Ｄｅｖｉｃｅ」の装置は、画像データを出力する装置であって画像出力装置１００を含む。
本実施形態では、画像出力装置１００には、例えば、論理アドレスＬＡ「４」が割り当てられる。
【００６１】
図６は、プロジェクター２００Ａ〜プロジェクター２００Ｄにおける制御部２８０の処理を示すフローチャートである。
まず、ステップＳ１０１において、制御部２８０は、プロジェクター２００が起動したか否かを判定する。
プロジェクター２００が起動していないと制御部２８０が判定した場合（ステップＳ１０１でＮＯ）には、処理が待機状態になる。プロジェクター２００が起動したと制御部２８０が判定した場合（ステップＳ１０１でＹＥＳ）には、処理がステップＳ１０３に進む。
そして、ステップＳ１０３において、検出部２８１が、出力コネクター２２１が接続されたか否かを判定する。
出力コネクター２２１が接続されたと検出部２８１が判定した場合（ステップＳ１０３でＹＥＳ）には、処理がステップＳ１１１に進む。
そして、ステップＳ１１１において、決定部２８２がプロジェクター２００の論理アドレスＬＡを第２論理アドレスＬＡ２に決定し、処理がステップＳ１１３に進む。
【００６２】
出力コネクター２２１が接続されていないと検出部２８１が判定した場合（ステップＳ１０３でＮＯ）には、処理がステップＳ１０５に進む。
そして、ステップＳ１０５において、送信部２８３は、第１論理アドレスＬＡ１を宛先とするポーリングを送信する。
次に、ステップＳ１０７において、判定部２８４は、ポーリングに対する肯定応答を受信したか否かを判定する。
ポーリングに対する肯定応答を受信したと判定部２８４が判定した場合（ステップＳ１０７でＹＥＳ）には、処理がステップＳ１１１に進む。
そして、ステップＳ１１１において、決定部２８２がプロジェクター２００の論理アドレスＬＡを第２論理アドレスＬＡ２に決定し、処理がステップＳ１１３に進む。
ポーリングに対する肯定応答を受信していないと判定部２８４が判定した場合（ステップＳ１０７でＮＯ）には、処理がステップＳ１０９に進む。
そして、ステップＳ１０９において、決定部２８２がプロジェクター２００の論理アドレスＬＡを第１論理アドレスＬＡ１に決定し、処理がステップＳ１１３に進む。
【００６３】
次に、ステップＳ１１３において、制御部２８０は、所定時間ＴＰが経過したか否かを判定する。所定時間ＴＰは、例えば１００ｍｓｅｃである。
所定時間ＴＰが経過していないと制御部２８０が判定した場合（ステップＳ１１３でＮＯ）には、処理が待機状態になる。所定時間ＴＰが経過したと制御部２８０が判定した場合（ステップＳ１１３でＹＥＳ）には、処理がステップＳ１０３に戻る。
【００６４】
なお、ステップＳ１０３が「検出ステップ」の一例に相当する。また、ステップＳ１０９及びステップＳ１１１が「決定ステップ」の一例に相当する。
【００６５】
図７は、画像出力装置１００及びプロジェクター２００Ａ〜プロジェクター２００Ｄの論理アドレスＬＡを示す図である。
図７に示すプロジェクター２００Ａ〜プロジェクター２００Ｄの論理アドレスＬＡは、プロジェクター２００Ａ〜プロジェクター２００Ｄの各々の制御部２８０が図６に示すフローチャートを実行することによって決定される。
図７に示すように、画像出力装置１００は、論理アドレスＬＡとして、「４」が割り当てられる。論理アドレスＬＡが「４」であることは、装置の種類ＤＮが「Ｐｌａｙｂａｃｋ  Ｄｅｖｉｃｅ」であることを示す。
プロジェクター２００Ａ〜プロジェクター２００Ｃの各々は、論理アドレスＬＡとして、「１５」が割り当てられる。論理アドレスＬＡが「１５」であることは、装置の種類ＤＮを特定しない装置であることを示す。論理アドレスＬＡの「１５」は、第２論理アドレスＬＡ２の一例に対応する。
プロジェクター２００Ｄは、論理アドレスＬＡとして、「０」が割り当てられる。論理アドレスＬＡが「０」であることは、装置の種類ＤＮが「ＴＶ」であることを示す。論理アドレスＬＡの「０」は、第１論理アドレスＬＡ１の一例に対応する。
【００６６】
図７に示すように、画像出力装置１００には、物理アドレスＰＡとして、例えば「１．０．０．０」が割り当てられる。また、プロジェクター２００Ａ〜プロジェクター２００Ｄの各々には、物理アドレスＰＡとして、例えば「０．０．０．０」が割り当てられる。
ＥＤＩＤ情報によれば、画像出力装置１００の下流側の全ての機器で単一の物理アドレスＰＡとなる必要があるため、プロジェクター２００Ａ〜プロジェクター２００Ｄの各々には、同一の物理アドレスＰＡが割り当てられる。なお、画像出力装置１００の下流側とは、画像出力装置１００から画像が出力される側を示す。
【００６７】
このようにして、プロジェクター２００Ａ〜プロジェクター２００Ｄの各々には、物理アドレスＰＡとして、同一の物理アドレスＰＡが割り当てられるため、プロジェクター２００Ａ〜プロジェクター２００Ｄは、１つの表示装置とみなすことができる。例えば、画像出力装置１００には４台のプロジェクター２００Ａ〜プロジェクター２００Ｄがデイジーチェーン接続されるが、画像出力装置１００には、論理アドレスＬＡとして「０」を有する１つのプロジェクターが認識される。このように、４台のプロジェクター２００Ａ〜プロジェクター２００Ｄは、１種類の物理アドレスＰＡと１つの論理アドレス「０」で特定される１台のプロジェクターとして、他の装置から認識される。
【００６８】
なお、本実施形態では、プロジェクター２００Ａ〜プロジェクター２００Ｄの各々には、物理アドレスＰＡとして、同一の物理アドレスＰＡが割り当てられるが、これに限定されない。ＨＤＭＩ規格に則って、全ての機器に互いに相違する物理アドレスＰＡが割り当ててられてもよい。
例えば、ＨＤＭＩ受信部２５２Ａ〜２５２ＤのＥＤＩＤを書き換えることで、プロジェクター２００Ａ〜プロジェクター２００Ｄの各々の物理アドレスＰＡを割り当ててもよい。この場合には、例えば、以下のように物理アドレスＰＡが割り当てられる。すなわち、プロジェクター２００Ａの物理アドレスＰＡが「０．０．０．０」に、プロジェクター２００Ｂの物理アドレスＰＡが「１．０．０．０」に、プロジェクター２００Ｃの物理アドレスＰＡが「２．０．０．０」に、プロジェクター２００Ｄの物理アドレスＰＡが「３．０．０．０」に割り当てられる。
【００６９】
図８〜図１０の各々は、表示システム１の起動処理を示すシーケンス図である。図８は、画像出力装置１００の電源がユーザーによってオンされる場合の表示システム１の起動処理を示す。
図８に示すように、まず、ステップＳＡ１０１において、画像出力装置１００の電源がユーザーによってオンされる。
次に、ステップＳＡ１０３において、画像出力装置１００の制御部１１０が、起動を指示するＣＥＣコマンドＣＭ１を論理アドレスＬＡが「０」の装置に向けて送信する。論理アドレスＬＡが「０」であることは、第１論理アドレスＬＡ１に対応する。
具体的には、画像出力装置１００の制御部１１０は、起動を指示するＣＥＣコマンドＣＭ１を、第１論理アドレスＬＡ１を有するプロジェクター２００Ｄに対して送信する。
次に、ステップＳＡ１０５において、画像出力装置１００の制御部１１０は、起動処理を実行する。
【００７０】
また、ステップＳＡ１０７において、プロジェクター２００Ｄの制御部２８０Ｄの第１通信制御部２８５Ｄは、画像出力装置１００からの起動を指示するＣＥＣコマンドＣＭ１を受信する。
そして、ステップＳＡ１０９において、プロジェクター２００Ｄの制御部２８０Ｄの第２通信制御部２８６Ｄは、起動を指示する特定コマンドＣＭ２をプロジェクター２００Ａ〜プロジェクター２００Ｃに向けて送信する。具体的には、特定コマンドＣＭ２は、プロジェクター２００Ａ〜プロジェクター２００Ｃの各々の識別情報に、起動を指示するパラメーターを付加したコマンドである。なお、プロジェクター２００Ａ〜プロジェクター２００Ｃの各々の識別情報は、第２通信制御部２８６Ｄによって記憶部２７０Ｄから読み出される。
次に、ステップＳＡ１１１において、プロジェクター２００Ｄの制御部２８０Ｄは、起動処理を実行する。
【００７１】
また、ステップＳＡ１１３において、プロジェクター２００Ａの制御部２８０Ａの第２通信制御部２８６Ａは、プロジェクター２００Ｄから起動を指示する特定コマンドＣＭ２を受信する。
そして、ステップＳＡ１１５において、プロジェクター２００Ａの制御部２８０Ａは、起動処理を実行する。
【００７２】
また、ステップＳＡ１１７において、プロジェクター２００Ｂ及びプロジェクター２００Ｃの各々の制御部２８０の第２通信制御部２８６は、プロジェクター２００Ｄから起動を指示する特定コマンドＣＭ２を受信する。
そして、ステップＳＡ１１９において、プロジェクター２００Ｂ及びプロジェクター２００Ｃの各々の制御部２８０は、起動処理を実行する。
【００７３】
このようにして、ＣＥＣコマンドＣＭ１が、画像出力装置１００からプロジェクター２００Ｄに送信され、特定コマンドＣＭ２がプロジェクター２００Ｄからプロジェクター２００Ａ〜プロジェクター２００Ｃに送信される。その結果、画像出力装置１００の電源がユーザーによってオンされることに伴って、プロジェクター２００Ａ〜プロジェクター２００Ｄの各々を起動できる。
【００７４】
図９は、プロジェクター２００Ｄの電源がユーザーによってオンされる場合の表示システム１の起動処理を示す。図８では、画像出力装置１００の電源がユーザーによってオンされるのに対して、図９では、プロジェクター２００Ｄの電源がユーザーによってオンされる点で相違する。
図９に示すように、まず、ステップＳＢ１０１において、プロジェクター２００Ｄの電源がユーザーによってオンされる。
次に、ステップＳＢ１０３において、プロジェクター２００Ｄの制御部２８０Ｄの第１通信制御部２８５Ｄは、起動を指示するＣＥＣコマンドＣＭ１を論理アドレスＬＡが「４」の装置に向けて送信する。論理アドレスＬＡが「４」の装置は、画像出力装置１００に対応する。
次に、ステップＳＢ１０５において、プロジェクター２００Ｄの制御部２８０Ｄの第２通信制御部２８６Ｄは、起動を指示する特定コマンドＣＭ２をプロジェクター２００Ａ〜プロジェクター２００Ｃに向けて送信する。具体的には、特定コマンドＣＭ２は、プロジェクター２００Ａ〜プロジェクター２００Ｃの各々の識別情報に、起動を指示するパラメーターを付加したコマンドである。なお、プロジェクター２００Ａ〜プロジェクター２００Ｃの各々の識別情報は、第２通信制御部２８６Ｄによって記憶部２７０Ｄから読み出される。
次に、ステップＳＢ１０７において、プロジェクター２００Ｄの制御部２８０Ｄは、起動処理を実行する。
【００７５】
また、ステップＳＢ１０９において、画像出力装置１００の制御部１１０は、プロジェクター２００Ｄからの起動を指示するＣＥＣコマンドＣＭ１を受信する。
そして、ステップＳＢ１１１において、画像出力装置１００の制御部１１０は、起動処理を実行する。
【００７６】
また、ステップＳＢ１１３において、プロジェクター２００Ａの制御部２８０Ａの第２通信制御部２８６Ａは、プロジェクター２００Ｄから起動を指示する特定コマンドＣＭ２を受信する。
そして、ステップＳＢ１１５において、プロジェクター２００Ａの制御部２８０Ａは、起動処理を実行する。
【００７７】
また、ステップＳＢ１１７において、プロジェクター２００Ｂ及びプロジェクター２００Ｃの各々の制御部２８０の第２通信制御部２８６は、プロジェクター２００Ｄから起動を指示する特定コマンドＣＭ２を受信する。
そして、ステップＳＢ１１９において、プロジェクター２００Ｂ及びプロジェクター２００Ｃの各々の制御部２８０は、起動処理を実行する。
【００７８】
このようにして、ＣＥＣコマンドＣＭ１が、プロジェクター２００Ｄから画像出力装置１００に送信され、特定コマンドＣＭ２がプロジェクター２００Ｄからプロジェクター２００Ａ〜プロジェクター２００Ｃに送信される。その結果、プロジェクター２００Ｄの電源がユーザーによってオンされることに伴って、画像出力装置１００及びプロジェクター２００Ａ〜プロジェクター２００Ｄの各々を起動できる。
【００７９】
図１０は、プロジェクター２００Ａの電源がユーザーによってオンされる場合の表示システム１の起動処理を示す。図８では、画像出力装置１００の電源がユーザーによってオンされ、図９では、プロジェクター２００Ｄの電源がユーザーによってオンされるのに対して、図１０では、プロジェクター２００Ａの電源がユーザーによってオンされる点で相違する。
【００８０】
図１０に示すように、まず、ステップＳＣ１０１において、プロジェクター２００Ａの電源がユーザーによってオンされる。
次に、ステップＳＣ１０３において、プロジェクター２００Ｄの制御部２８０Ｄの第２通信制御部２８６Ｄは、起動を指示する特定コマンドＣＭ２をプロジェクター２００Ａに向けて送信する。具体的には、特定コマンドＣＭ２は、プロジェクター２００Ａの識別情報に、起動を指示するパラメーターを付加したコマンドである。なお、プロジェクター２００Ａの識別情報は、第２通信制御部２８６Ｄによって記憶部２７０Ｄから読み出される。
次に、ステップＳＣ１０５において、プロジェクター２００Ｄの制御部２８０Ｄの第２通信制御部２８６Ｄは、起動を指示する特定コマンドＣＭ２をプロジェクター２００Ｂ及びプロジェクター２００Ｃに向けて送信する。具体的には、特定コマンドＣＭ２は、プロジェクター２００Ｂ及びプロジェクター２００Ｃの各々の識別情報に、起動を指示するパラメーターを付加したコマンドである。なお、プロジェクター２００Ｂ及びプロジェクター２００Ｃの各々の識別情報は、第２通信制御部２８６Ｄによって記憶部２７０Ｄから読み出される。
次に、ステップＳＣ１０７において、プロジェクター２００Ｄの制御部２８０Ｄは、起動処理を実行する。
【００８１】
また、ステップＳＣ１０９において、プロジェクター２００Ｄの制御部２８０Ｄの第２通信制御部２８６Ｄは、プロジェクター２００Ａから起動を指示する特定コマンドＣＭ２を受信する。
そして、ステップＳＣ１１１において、プロジェクター２００Ｄの制御部２８０Ｄの第１通信制御部２８５Ｄは、起動を指示するＣＥＣコマンドＣＭ１を論理アドレスＬＡが「４」の装置に向けて送信する。論理アドレスＬＡが「４」の装置は、画像出力装置１００に対応する。
次に、ステップＳＣ１１３において、プロジェクター２００Ｄの制御部２８０Ｄは、起動処理を実行する。
【００８２】
また、ステップＳＣ１１５において、画像出力装置１００の制御部１１０は、プロジェクター２００Ｄからの起動を指示するＣＥＣコマンドＣＭ１を受信する。
そして、ステップＳＣ１１７において、画像出力装置１００の制御部１１０は、起動処理を実行する。
【００８３】
また、ステップＳＣ１１９において、プロジェクター２００Ｂ及びプロジェクター２００Ｃの各々の制御部２８０の第２通信制御部２８６は、プロジェクター２００Ａから起動を指示する特定コマンドＣＭ２を受信する。
そして、ステップＳＣ１２１において、プロジェクター２００Ｂ及びプロジェクター２００Ｃの各々の制御部２８０は、起動処理を実行する。
【００８４】
このようにして、特定コマンドＣＭ２がプロジェクター２００Ａからプロジェクター２００Ｄに送信される。そして、特定コマンドＣＭ２がプロジェクター２００Ｄによって受信され、ＣＥＣコマンドＣＭ１がプロジェクター２００Ｄから画像出力装置１００に送信される。また、特定コマンドＣＭ２がプロジェクター２００Ａからプロジェクター２００Ｂ及びプロジェクター２００Ｃに送信される。その結果、プロジェクター２００Ａの電源がユーザーによってオンされることに伴って、画像出力装置１００及びプロジェクター２００Ａ〜プロジェクター２００Ｄの各々を起動できる。
【００８５】
以上説明したように本実施形態では、検出部２８１は、出力コネクターＣＴが接続されたか否かを検出する。出力コネクターＣＴの接続を検出部２８１が検出しない場合には、決定部２８２は、プロジェクター２００の論理アドレスＬＡを第１論理アドレスＬＡ１に決定する。出力コネクターＣＴの接続を検出部２８１が検出した場合には、プロジェクター２００の論理アドレスＬＡを第２論理アドレスＬＡ２に決定する。
よって、複数のプロジェクター２００の各々の論理アドレスＬＡを適切に決定できる。したがって、複数のプロジェクター２００において両端に位置する２つのプロジェクター２００のいずれかのプロジェクター２００が、画像情報を出力する画像出力装置１００と接続される場合に、画像出力装置１００と複数のプロジェクター２００との間で効率的にコマンドを通信できる。
例えば、画像出力装置１００と第１論理アドレスＬＡ１を有するプロジェクター２００との間は、ＣＥＣコマンドＣＭ１を通信する。また、下記の機器間では、論理アドレスＬＡ以外の情報に基づいて宛先を識別する特定コマンドＣＭ２で通信する。すなわち、画像出力装置１００と第２論理アドレスＬＡ２を有するプロジェクター２００との間、第１論理アドレスＬＡ１を有するプロジェクター２００と第２論理アドレスＬＡ２を有するプロジェクター２００との間、第２論理アドレスＬＡ２を有する複数のプロジェクター２００間では、特定コマンドＣＭ２で通信する。
その結果、アドレスの変換やコマンドの中継を行う装置を介在させることなく、プロジェクター２００Ａ〜２００Ｄがコマンドを送受信することができ、コマンドのスループットの低下を抑制できる。
【００８６】
また、本実施形態では、出力コネクターＣＴが接続されたことを検出部２８１が検出しない場合に、送信部２８３は、第１論理アドレスＬＡ１を宛先とするポーリングを送信する。そして、判定部２８４は、ポーリングに対する肯定応答を受信したか否かを判定する。肯定応答を受信したと判定部２８４が判定した場合には、決定部２８２は、プロジェクター２００の論理アドレスＬＡを、第２論理アドレスＬＡ２に決定する。
よって、複数のプロジェクター２００の各々の論理アドレスＬＡを更に適切に決定できる。したがって、ＣＥＣコマンドＣＭ１及び特定コマンドＣＭ２を用いて、機器間で通信する。その結果、コマンドのスループットの低下を抑制できる。
【００８７】
また、本実施形態では、複数のプロジェクター２００において両端に位置する２つのプロジェクター２００のいずれかのプロジェクター２００は、画像情報を出力する画像出力装置１００と入力コネクターＣＮを介して接続される。第１通信制御部２８５は、プロジェクター２００の論理アドレスＬＡが第１論理アドレスＬＡ１である場合には、画像出力装置１００とＣＥＣコマンドＣＭ１で通信する。
よって、第１論理アドレスＬＡ１を有するプロジェクター２００は、画像出力装置１００との間においてＣＥＣコマンドＣＭ１で通信する。したがって、第１論理アドレスＬＡ１を有するプロジェクター２００と画像出力装置１００との間において、コマンドのスループットの低下を抑制できる。
【００８８】
また、本実施形態では、画像出力装置１００が起動操作を受け付けた場合には、第１論理アドレスＬＡ１を有するプロジェクター２００の第１通信制御部２８５は、画像出力装置１００から起動を指示するＣＥＣコマンドＣＭ１を受信する。
したがって、画像出力装置１００が起動操作を受け付けた場合に、第１論理アドレスＬＡ１を有するプロジェクター２００を起動できる。
【００８９】
また、本実施形態では、第１論理アドレスＬＡ１を有するプロジェクター２００が起動操作を受け付けた場合には、このプロジェクター２００の第１通信制御部２８５は、画像出力装置１００に対して起動を指示するＣＥＣコマンドＣＭ１を送信する。
したがって、第１論理アドレスＬＡ１を有するプロジェクター２００が起動操作を受け付けた場合に、画像出力装置１００を起動できる。
【００９０】
また、本実施形態では、プロジェクター２００は、論理アドレスＬＡ以外の情報に基づいて宛先を識別する特定コマンドＣＭ２で通信する第２通信制御部２８６を備える。プロジェクター２００の論理アドレスＬＡが第２論理アドレスＬＡ２である場合には、第２通信制御部２８６は、第１論理アドレスＬＡ１を有するプロジェクター２００と通信する。
したがって、第２論理アドレスＬＡ２を有するプロジェクター２００と第１論理アドレスＬＡ１を有するプロジェクター２００との間において、コマンドのスループットの低下を抑制できる。
【００９１】
また、本実施形態では、第２論理アドレスＬＡ２を有するプロジェクター２００の第２通信制御部２８６は、第２論理アドレスＬＡ２を有する他のプロジェクター２００と特定コマンドＣＭ２で通信する。
したがって、第２論理アドレスＬＡ２を有するプロジェクター２００と第２論理アドレスＬＡ２を有する他のプロジェクター２００との間において、コマンドのスループットの低下を抑制できる。
【００９２】
また、本実施形態では、第２論理アドレスＬＡ２を有するプロジェクター２００が起動操作を受け付けた場合には、このプロジェクター２００の第２通信制御部２８６は、第２論理アドレスＬＡ２を有する他のプロジェクター２００に対して、起動を指示する特定コマンドＣＭ２を送信する。
したがって、第２論理アドレスＬＡ２を有するプロジェクター２００が起動操作を受け付けた場合に、第２論理アドレスＬＡ２を有する他のプロジェクター２００を起動できる。
【００９３】
また、本実施形態では、第１論理アドレスＬＡ１を有するプロジェクター２００が起動操作を受け付けた場合には、このプロジェクター２００の第２通信制御部２８６は、複数のプロジェクター２００のうちの第２論理アドレスＬＡ２を有するプロジェクター２００に対して、起動を指示する特定コマンドＣＭ２を送信する。
したがって、第１論理アドレスＬＡ１を有するプロジェクター２００が起動操作を受け付けた場合に、第２論理アドレスＬＡ２を有するプロジェクター２００を起動できる。
【００９４】
また、本実施形態では、第１論理アドレスＬＡ１を有するプロジェクター２００の第１通信制御部２８５が画像出力装置１００から起動を指示するＣＥＣコマンドＣＭ１を受信した場合に、このプロジェクター２００の第２通信制御部２８６は、第２論理アドレスＬＡ２を有するプロジェクター２００に対して、起動を指示する特定コマンドＣＭ２を送信する。
したがって、画像出力装置１００が起動操作を受け付けた場合に、第１論理アドレスＬＡ１を有するプロジェクター２００を経由して、第２論理アドレスＬＡ２を有するプロジェクター２００を起動できる。
【００９５】
また、本実施形態では、第１論理アドレスＬＡ１を有するプロジェクター２００の第２通信制御部２８６が起動を指示する特定コマンドＣＭ２を受け付けた場合には、このプロジェクター２００の第１通信制御部２８５は、画像出力装置１００に対して、起動を指示するＣＥＣコマンドＣＭ１を送信する。
したがって、第２論理アドレスＬＡ２を有するプロジェクター２００が起動操作を受け付けた場合に、第１論理アドレスＬＡ１を有するプロジェクター２００を経由して、画像出力装置１００を起動できる。
【００９６】
なお、上述した本実施形態は実施形態の一例に過ぎず、実施形態を限定するものではなく、異なる態様とすることも可能である。
本実施形態では、例えば、プロジェクター２００を表示装置の一例として示したが、表示装置は、液晶表示パネルに画像を表示する液晶モニター、液晶テレビ等であってもよい。また、プラズマディスプレイパネル、ＯＬＥＤ（Ｏｒｇａｎｉｃ  ｌｉｇｈｔ−ｅｍｉｔｔｉｎｇ  ｄｉｏｄｅ）、ＯＥＬ（Ｏｒｇａｎｉｃ  Ｅｌｅｃｔｒｏ  Ｌｕｍｉｎｅｓｃｅｎｃｅ）ディスプレイ等の有機ＥＬ表示パネルを備えた装置であってもよい。
【００９７】
また、本実施形態では、光変調装置２１２Ａが液晶パネル２１５Ａを備える構成を例示したが、液晶パネル２１５Ａは、透過型の液晶パネルであってもよいし、反射型の液晶パネルであってもよい。また、光変調装置２１２Ａは、液晶パネル２１５Ａに代えて、デジタルミラーデバイス（ＤＭＤ）を用いた構成であってもよい。また、デジタルミラーデバイスとカラーホイールを組み合わせた構成としてもよい。また、光変調装置２１２Ａは、液晶パネル及びＤＭＤ以外に、光源が発した光を変調可能な構成を採用しても良い。
【００９８】
また、図３に示したプロジェクター２００Ａの各機能部、及び図４に示した制御部２８０Ａの各機能部は、機能的構成を示すものであって、具体的な実装形態は特に制限されない。つまり、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現される機能の一部をハードウェアで実現してもよく、また、ハードウェアで実現される機能の一部をソフトウェアで実現してもよい。その他、プロジェクターの他の各部の具体的な細部構成についても、本発明の趣旨を逸脱しない範囲で任意に変更可能である。
【００９９】
また、図６に示すフローチャート及び図８〜図１０に示すシーケンス図の処理単位は、プロジェクター２００又は表示システム１の処理を理解容易にするために、主な処理内容に応じて分割したものである。図６のフローチャート及び図８〜図１０のシーケンス図に示す処理単位の分割の仕方や名称によって実施形態が制限されることはない。また、制御部２８０の処理は、処理内容に応じて、さらに多くの処理単位に分割することもできるし、１つの処理単位がさらに多くの処理を含むように分割することもできる。また、上記のフローチャート及びシーケンス図の処理順序も、図示した例に限られるものではない。
【０１００】
また、表示装置の制御方法は、表示装置が備えるコンピューターに、表示装置の制御方法に対応したプログラムを実行させることで実現できる。また、このプログラムは、コンピューターで読み取り可能に記録した記録媒体に記録しておくことも可能である。記録媒体としては、磁気的、光学的記録媒体又は半導体メモリーデバイスを用いることができる。具体的には、フレキシブルディスク、ＣＤ−ＲＯＭ（Ｃｏｍｐａｃｔ  Ｄｉｓｋ  Ｒｅａｄ  Ｏｎｌｙ  Ｍｅｍｏｒｙ）、ＤＶＤ、Ｂｌｕ−ｒａｙ（登録商標） Ｄｉｓｃ、光磁気ディスク、フラッシュメモリー、カード型記録媒体等の可搬型、或いは固定式の記録媒体が挙げられる。また、記録媒体は、画像表示装置が備える内部記憶装置であるＲＡＭ、ＲＯＭ、ＨＤＤ等の不揮発性記憶装置であってもよい。また、表示装置の制御方法に対応したプログラムをサーバー装置等に記憶させておき、サーバー装置から表示装置に、プログラムをダウンロードすることで表示システムの制御方法を実現することもできる。
【符号の説明】
【０１０１】
１…表示システム、２１〜２４…ＨＤＭＩケーブル、５…リモコン、１００…画像出力装置、１１０…制御部、１２０…再生部、１３０…記録媒体、１４０…ＨＤＭＩ通信部、２００、２００Ａ〜２００Ｄ…プロジェクター（表示装置）、２１〜２４…ＨＤＭＩケーブル、２１０…投射部（表示部）、２１１、２２１、２３１、２４１…出力コネクター、２１２、２２２、２３２、２４２…入力コネクター、２１１Ａ…光源部、２１２Ａ…光変調装置、２１３Ａ…投射光学系、２１５Ａ…液晶パネル、２２１Ａ…光源駆動部、２２２Ａ…光変調装置駆動部、２３１Ａ…操作パネル、２３３Ａ…入力処理部、２３５Ａ…リモコン受光部、２４０Ａ…音声処理部、２４３…スピーカー、２４７Ａ…無線通信部、２５０、２５０Ａ〜２５０Ｄ…ＨＤＭＩ通信部、２５２、２５２Ａ〜２５２Ｄ…ＨＤＭＩ受信部、２５６、２５６Ａ〜２５６Ｄ…ＨＤＭＩ送信部、２６０Ａ…画像処理部、２６５Ａ…フレームメモリー、２７０Ａ…記憶部、２８０、２８０Ａ〜２８０Ｄ…制御部、２８１、２８１Ａ〜２８１Ｄ…検出部、２８２、２８２Ａ〜２８２Ｄ…決定部、２８３、２８３Ａ〜２８３Ｄ…送信部、２８４、２８４Ａ〜２８４Ｄ…判定部、２８５、２８５Ａ〜２８５Ｄ…第１通信制御部、２８６、２８６Ａ〜２８６Ｄ…第２通信制御部、２９０Ａ…内部バス、ＣＭ１…ＣＥＣコマンド、ＣＭ２…特定コマンド、ＣＮ…入力コネクター、ＣＴ…出力コネクター、ＤＮ…装置の種類、ＬＡ…論理アドレス、ＬＡ１…第１論理アドレス、ＬＡ２…第２論理アドレス、ＰＡ…物理アドレス、ＳＣ…スクリーン。
【図１】
2020088476.tif 000003
【図２】
2020088476.tif 000004
【図３】
2020088476.tif 000005
【図４】
2020088476.tif 000006
【図５】
2020088476.tif 000007
【図６】
2020088476.tif 000008
【図７】
2020088476.tif 000009
【図８】
2020088476.tif 000010
【図９】
2020088476.tif 000011
【図１０】
2020088476.tif 000012